(57)【要約】      （修正有）【課題】ＵＶランプを備える脱臭装置の外部環境が低温環境下にあるとき、ＵＶランプの近傍にヒータを設けなくても、ＵＶランプの輝度の低下を抑えつつ、オゾン発生ユニット内での空気の除菌や脱臭の効果を確保すること。【解決手段】吸込口２６から吸込んだ空気を吹出口２８から放出する送風機１２と、空気通路に配置され、空気を脱臭する脱臭フィルタ５４ａと脱臭フィルタ５４ａを加熱して再生するためのヒータ５４ｂとを有するヒータ脱臭ユニット５４と、ヒータ脱臭ユニット５４よりも空気通路の下流側に配置され、ＵＶランプ１６ｂを有するオゾン発生ユニット１６と、送風機１２の駆動とヒータ５４ｂの通電とＵＶランプ１６ｂの通電とを制御する制御ユニット４１とを備えた脱臭装置であって、制御ユニット４１は脱臭装置の脱臭運転時、送風機１２を駆動しＵＶランプ１６ｂへ通電する間は少なくともヒータ５４ｂへ通電するようにした。【選択図】図４
2012075554.tif 000002
【特許請求の範囲】
【請求項１】
空気の吸込口と吹出口とを有し前記吸込口と前記吹出口とを結ぶ空気通路を内部に有する筺体と、
前記吸込口から吸込んだ空気を前記吹出口から放出する送風機と、
前記空気通路に配置され、空気を脱臭する脱臭フィルタを加熱して再生するためのヒータと、
同ヒータよりも前記空気通路の下流側に配置され、空気へ紫外線を照射するＵＶランプと、
前記送風機の駆動と前記ヒータの通電と前記ＵＶランプの通電とを制御する制御ユニットとを備えた脱臭装置であって、
前記制御ユニットは前記脱臭装置の脱臭運転時、前記送風機を駆動し前記ＵＶランプへ通電する間は少なくとも前記ヒータへ通電することを特徴とする脱臭装置。
【請求項２】
前記制御ユニットは前記ヒータへの通電から所定時間が経過したのち前記ＵＶランプへ通電することを特徴とする請求項１記載の脱臭装置。
【請求項３】
前記制御ユニットは前記ヒータへの通電電流値を調整するヒータ通電部を備え、同ヒータ通電部は前記ＵＶランプの通電時における前記ヒータへの通電電流値を、前記脱臭フィルタの再生時における前記ヒータへの通電電流値より小さくすることを特徴とする請求項２記載の脱臭装置。
【請求項４】
空気の吸込口と吹出口とを有し前記吸込口と前記吹出口とを結ぶ空気通路を内部に有する筺体と、
前記吸込口から吸込んだ空気を前記吹出口から放出する送風機と、
前記空気通路に配置され、空気を脱臭する脱臭フィルタを加熱して再生するためのヒータと、
同ヒータよりも前記空気通路の下流側に配置され、空気へ紫外線を照射するＵＶランプと、
前記送風機の駆動と前記ヒータの通電と前記ＵＶランプの通電とを制御する制御ユニットとを備えた脱臭装置であって、
前記ＵＶランプの周囲温度を検出する温度センサを設け、
前記制御ユニットは前記脱臭装置の脱臭運転時、前記温度センサによる検出値が所定値以下の場合、前記送風機を駆動し前記ＵＶランプへ通電する間は少なくとも前記ヒータへ通電することを特徴とする脱臭装置。
【請求項５】
前記制御ユニットは前記ヒータへの通電から所定時間が経過したのち前記ＵＶランプへ通電することを特徴とする請求項４記載の脱臭装置。
【請求項６】
前記制御ユニットは前記ヒータへの通電電流値を調整するヒータ通電部を備え、同ヒータ通電部は前記ＵＶランプの通電時における前記ヒータへの通電電流値を、前記脱臭フィルタの再生時における前記ヒータへの通電電流値より小さくすることを特徴とする請求項５記載の脱臭装置。
【発明の詳細な説明】
【技術分野】
【０００１】
本発明は、ＵＶランプを備える脱臭装置に関し、詳細には、ＵＶランプの寿命と輝度を改善するものに関する。
【背景技術】
【０００２】
従来から、紫外線を照射するＵＶランプが知られている。このランプは周囲温度が低いときに点灯させると、寿命が短くなったり、輝度が低くなったりする性質を持っている。
【０００３】
このうちの周囲温度が低いときにランプの輝度が低下する性質に着目し、ランプの輝度特性を改善した技術がある。この技術の一例として、ランプと、このランプを暖めるヒータとを備えた照明装置が提案されている（例えば、特許文献１参照）。この照明装置はランプの近傍にヒータが配置されている。この照明装置によれば、ヒータでランプの周囲温度を高くすることができるため、ランプの点灯開始から高い輝度特性が得られる。
【０００４】
ＵＶランプは脱臭装置にも使用されている。この脱臭装置の一例を説明する。この脱臭装置は、空気の吸込口と吹出口とを有し、吸込口と吹出口とを結ぶ空気通路を内部に有する筺体を備えている。この空気通路内には、吸込口から吸込んだ空気を吹出口から送出する送風機が配置されている。また、この空気通路内には、ＵＶランプが配置されている。ＵＶランプは、空気通路を通過する空気へ紫外線を照射することでオゾンを生成する。生成されたオゾンの作用によって、空気通路を通過する空気の除菌や脱臭を行う。除菌や脱臭が行われた空気は吹出口から吹出される。
【０００５】
以上説明してきた脱臭装置についても、ＵＶランプは周囲温度が低いときに点灯させると、輝度が低くなる。脱臭装置において、上述の照明装置のようにＵＶランプの輝度が低下する性質を改善するため、ＵＶランプの近傍にヒータを配置することが考えられる。
【０００６】
しかしながら、ＵＶランプ近傍にヒータを配置すると、配置されたヒータの存在により、ＵＶランプは、ヒータで隠れてしまう空気通路の空間へ紫外線を照射できない。このように、紫外線を照射できない空間が生じると、ＵＶランプによる空気への紫外線の照射量が少なくなってしまう。したがって、ＵＶランプ近傍にヒータを備えた脱臭装置では、紫外線の照射で生成されるオゾン量が少なくなり、オゾンの作用による空気の除菌や脱臭の性能が低下するという問題点があった。
【先行技術文献】
【特許文献】
【０００７】
【特許文献１】特開平１０−０２０３０７号公報（第２頁−第３頁、第１図−第２図）
【発明の概要】
【発明が解決しようとする課題】
【０００８】
本発明は上記問題点に鑑み、ＵＶランプを備える脱臭装置の外部環境が低温環境下にあるとき、ＵＶランプの近傍にヒータを設けなくても、ＵＶランプの輝度の低下を抑えつつ、空気通路を通過する空気の除菌や脱臭の効果を確保することができる脱臭装置を提供することを目的とする。
【課題を解決するための手段】
【０００９】
上記課題を解決するため、本発明の脱臭装置は、空気の吸込口と吹出口とを有し吸込口と吹出口とを結ぶ空気通路を内部に有する筺体と、吸込口から吸込んだ空気を吹出口から放出する送風機と、空気通路に配置され、空気を脱臭する脱臭フィルタを加熱して再生するためのヒータと、ヒータよりも空気通路の下流側に配置され、空気へ紫外線を照射するＵＶランプと、送風機の駆動とヒータの通電とＵＶランプの通電とを制御する制御ユニットとを備えたものであって、制御ユニットは脱臭装置の脱臭運転時、送風機を駆動しＵＶランプへ通電する間は少なくともヒータへ通電する。
【００１０】
また、本発明の脱臭装置は、空気の吸込口と吹出口とを有し吸込口と吹出口とを結ぶ空気通路を内部に有する筺体と、吸込口から吸込んだ空気を吹出口から放出する送風機と、空気通路に配置され、空気を脱臭する脱臭フィルタを加熱して再生するためのヒータと、ヒータよりも空気通路の下流側に配置され、空気へ紫外線を照射するＵＶランプと、送風機の駆動とヒータの通電とＵＶランプの通電とを制御する制御ユニットとを備えたものであって、ＵＶランプの周囲温度を検出する温度センサを設け、制御ユニットは脱臭装置の脱臭運転時、温度センサによる検出値が所定値以下の場合、送風機を駆動しＵＶランプへ通電する間は少なくともヒータへ通電する。
【発明の効果】
【００１１】
本発明の脱臭装置によれば、制御ユニットは脱臭運転時、送風機を駆動しＵＶランプへ通電する間は少なくともヒータへ通電することにより、吸込口から吸込んだ空気がヒータ周辺を通過する間に加熱され、加熱された空気によってＵＶランプを暖めることができる。この結果、ＵＶランプを備える脱臭装置の外部環境が低温環境下にあるとき、ＵＶランプの近傍にヒータを設けなくても、ＵＶランプの輝度の低下を抑えつつ、空気通路を通過する空気の除菌や脱臭の効果を確保することができる。また、ＵＶランプを備える脱臭装置の外部環境が低温環境下にあるとき、ＵＶランプの近傍にヒータを設けなくても、ＵＶランプを暖めることができるため、ＵＶランプの寿命を長くすることができる。
【００１２】
また、本発明の脱臭装置によれば、制御ユニットは脱臭運転時、ＵＶランプの周囲温度が所定値以下の場合、送風機を駆動しＵＶランプへ通電する間は少なくともヒータへ通電することにより、上述の発明の効果に加え、ＵＶランプを備える脱臭装置を低温環境下で使用する時のみ、加熱された空気でＵＶランプを暖めるため、脱臭運転時の消費電力を低減することができる。
【図面の簡単な説明】
【００１３】
【図１】本発明による脱臭装置の前方方向からみた状態を示す外観斜視図である。
【図２】本発明による脱臭装置の後方方向からみた状態を示す外観斜視図である。
【図３】図１のＸ−Ｘ断面図である。
【図４】本発明による脱臭装置の電気的な構成を示すブロック図である。
【図５】実施例１による脱臭装置の脱臭運転動作と加熱再生動作とを示すタイミングチャートである。
【図６】実施例２による脱臭装置の脱臭運転動作と加熱再生動作とを示すタイミングチャートである。
【図７】実施例３による脱臭装置の脱臭運転動作と加熱再生動作とを示すタイミングチャートである。
【図８】温度センサの検出値と経過時間ｔ１との関係を示す表である。
【図９】温度センサの検出値とファンの送風量とファンモータの回転数との関係を示す表である。
【図１０】ＵＶランプを暖める脱臭運転動作時のヒータの温度および通電電流値と、脱臭フィルタの加熱再生動作時のヒータの温度および通電電流値とを示す表である。
【発明を実施するための形態】
【００１４】
以下、本発明の実施形態を添付図面に基づき詳細に説明する。図１および図２に示すように、本実施形態における脱臭装置は、その筐体１０が縦長の略直方体形状で構成されている。筐体１０は、その前面側に前面パネル３２が形成され、この前面パネル３２と対向する背面側に背面パネル３４が形成されている。背面パネル３４には、多数の開口部を設けた空気の吸込口２６が形成されている。
【００１５】
筐体１０の上面には、操作パネル４４と、この操作パネル４４と隣接する矩形状のルーバ３０とが配置されている。操作パネル４４には、ユーザが脱臭装置を運転操作するための各種ボタンや表示ランプなどが配されている。ルーバ３０は、手動により開閉可能になっており、後述する空気の吹出口２８となる。
【００１６】
次に、筐体１０の内部の構成を説明する。図３に示すように、筐体１０の内部には、吸込口２６と吹出口２８とを結ぶ空気通路２０が設けられている。この空気通路２０内には、プレフィルタ５０、集塵フィルタ５２、ヒータ脱臭ユニット５４、気化フィルタ１４、送風機１２、オゾン発生ユニット１６およびマイナスイオン発生器４６が配置されている。これらの部品は、空気通路２０の上流側から下流側に向かって上述の順番に配置されている。
【００１７】
プレフィルタ５０は、埃やペットの毛などの比較的大きな浮遊物を捕集するフィルタであり、集塵フィルタ５２は、プレフィルタ５０で捕集しきれなかった塵や花粉などの小さな浮遊物を捕集するプリーツ構造のフィルタである。
【００１８】
ヒータ脱臭ユニット５４は、脱臭フィルタ５４ａとヒータ５４ｂとを備えている。脱臭フィルタ５４ａは、油の臭い、タバコやペットの臭いなどの高濃度の臭気成分を吸着して分解する触媒フィルタである。ヒータ５４ｂは、脱臭フィルタ５４ａの面に沿うように蛇行状に屈曲させたシースヒータである。このヒータ５４ｂは脱臭フィルタ５４ａを加熱することにより、吸着した臭気成分の分解を促進して脱臭性能を再生させるものである。
【００１９】
気化フィルタ１４は、通気性と吸水性を備えるプリーツ構造のフィルタである。気化フィルタ１４は図示しないトレイに貯えられた水を吸水することで、常時湿った状態になっている。湿った状態になっている気化フィルタに空気を通過させることで、その空気に湿度を与える。
【００２０】
送風機１２は、ファンモータ１２ａと、このファンモータ１２ａにより駆動されるファン１２ｂとにより構成されている。送風機１２はファンモータ１２ａの駆動でファン１２ｂを回転させることで、吸込口２６から空気を吸込み（白抜き矢印Ａ）、この吸込んだ空気を空気通路２０を介して吹出口２８から送出する（白抜き矢印Ｅ）ものである。
【００２１】
オゾン発生ユニット１６は、ケース１６ａとＵＶランプ１６ｂとオゾン分解触媒１６ｃとにより構成されている。ケース１６ａは脱臭装置の水平方向に長い略直方体形状で構成されている。このケース１６ａは、空気通路２０に臨む位置に空気の流入口１６１が形成され、吹出口２８に連通する位置に空気の流出口１６２が形成されている。ケース１６ａ内には、流入口１６１と流出口１６２とを結ぶ空気流路１６０が設けられている。オゾン発生ユニット１６は、送風機１２と吹出口２８との間の空気通路２０から分岐する空気流路１６０を形成し、この空気流路１６０が流出口１６２を介して吹出口２８に合流するように設けられている。オゾン発生ユニット１６は流入口１６１から空気を取込み（白抜き矢印Ｃ）、この取込んだ空気を空気流路１６０を介して吹出口２８から流出させる（白抜き矢印Ｆ）。この空気流路１６０内には、ＵＶランプ１６ｂおよびオゾン分解触媒１６ｃが配置されている。これらの部品は、空気流路１６０の上流側から下流側に向かって上述の順番に配置されている。
【００２２】
ＵＶランプ１６ｂは直管型のランプであり、ケース１６ａの水平方向に沿って、空気流路１６０を通過する空気の流れに直交するように配置されている。ＵＶランプ１６ｂは、空気流路１６０を通過する空気へ紫外線を照射するものである。オゾン発生ユニット１６では、この空気への紫外線の照射により、この紫外線が空気中の酸素と結びついてオゾンを発生する。オゾン発生ユニット１６内で発生したオゾンにより、空気流路１６０を通過する空気の除菌および脱臭が行われる。オゾン分解触媒１６ｃは、オゾン発生ユニット１６内で発生したオゾンを含む空気が流出口１６２から流出する際に、オゾン濃度を低濃度とするため、酸化チタンなどの金属触媒の作用によってオゾンを分解するものである。
【００２３】
オゾン発生ユニット１６には、空気流路１６０内に配置されたＵＶランプ１６ｂとオゾン分解触媒１６ｃの間から気化フィルタ１４の風上面まで延びるオゾンダクト１８が形成されている。オゾンダクト１８の先端には、気化フィルタ１４の風上面にＵＶランプ１６ｂの紫外線の照射で発生したオゾンを吹付ける吹付口１８ａが形成されている。
【００２４】
マイナスイオン発生器４６は、吹出口２８付近の空気通路２０に配置され、放電電極と接地電極とを備えている。マイナスイオン発生器４６は、直流高圧電源により放電電極と接地電極との間に、例えば、数ｋＶの高電圧が印加されると、放電電極と接地電極との間にコロナ放電が起こり、コロナ放電で放出された電子が空気中の原子や分子と結合してマイナスイオンを発生する。
【００２５】
筐体１０内にはその他に、メイン基板４０がプレフィルタ５０および集塵フィルタ５２の上部に配置され、このメイン基板４０には後述する電源部５６および制御ユニット４１が搭載されている。制御ユニット４１は、操作パネル４４からの各種ボタンの押下で決まる運転指示信号などを受信する。また、制御ユニット４１は、ファンモータ１２ａの駆動、ＵＶランプ１６ｂへの通電、ヒータ５４ｂへの通電などの制御を行う。
【００２６】
次に、以上説明してきた脱臭装置の吸込口２６と吹出口２８の間を通過する空気の流れについて説明する。なお、ルーバ３０は図３に図示するように開いた状態になっているものとする。脱臭装置の脱臭運転時、吸込口２６から吸込まれた空気（白抜き矢印Ａ）は、プレフィルタ５０、集塵フィルタ５２およびヒータ脱臭ユニット５４を通過する間に除塵および脱臭される。次いで、除塵および脱臭された空気は、気化フィルタ１４を通過する間に加湿される。
【００２７】
加湿された空気は、送風機１２により上方に送り出される（白抜き矢印Ｂ）。次いで、送り出された空気は、その大部分が吹出口２８から吹出される（白抜き矢印Ｅ）。
【００２８】
また、送り出された空気の一部は、オゾン発生ユニット１６内に流入口１６１より取り込まれる（白抜き矢印Ｃ）。取り込まれた空気には、ＵＶランプ１６ｂによって紫外線が照射される。取り込まれた空気への紫外線の照射によりオゾン発生ユニット１６内にオゾンが生成される。生成されたオゾンは、取り込まれた空気中に浮遊するカビやウイルスなどを除菌するとともに、脱臭フィルタ５４ａで分解しきれなかった低濃度の臭気成分を分解する。
【００２９】
生成されたオゾンを含む空気は、オゾン分解触媒１６ｃによりオゾンが分解される。オゾンを分解することで、低濃度（０．０２ｐｐｍ以下）のオゾンを含む空気となり、この低濃度のオゾンを含む空気が流出口１６２を通って吹出口２８から吹出される（白抜き矢印Ｆ）。吹出された低濃度オゾンは、脱臭装置の外部に配置されたカーテンやカーペットなどに染み付いた臭気成分を分解する。
【００３０】
また、生成されたオゾンの一部は、気化フィルタ１４の風上面付近が負圧に、オゾン発生ユニット１６付近が正圧になるため、この圧力差の作用によってオゾンダクト１８内に誘引される（矢印Ｄ）。誘引されたオゾンは、吹付口１８ａから気化フィルタ１４の風上面に吹付けられる。気化フィルタ１４に吹付けられたオゾンは、吸込口２６から吸込んだ空気とともに気化フィルタ１４を通過する間に気化フィルタ１４の除菌を行い、気化フィルタ１４を清潔な状態に保つ。
【００３１】
マイナスイオン発生器４６で発生したマイナスイオンは、吹出口２８から吹出される空気（白抜き矢印Ｅ）に乗って放出される。放出されたマイナスイオンは、脱臭装置の外部の空気中に浮遊するカビやウイルスなどの微生物に付着してこれらを不活性化する。
【００３２】
次に、図４を用いて脱臭装置の電気的な構成を説明する。なお、本実施形態の脱臭装置は、脱臭フィルタ５４ａおよびＵＶランプ１６ｂによる脱臭機能と、脱臭フィルタ５４ａの加熱再生機能と、マイナスイオン発生器４６による除菌機能と、気化フィルタ１４による加湿機能とを備えているが、除菌機能および加湿機能に関わる電気的な構成は本発明に直接関係しないため、その説明を省略する。
【００３３】
図４に示すように、制御ユニット４１は、スイッチ部４１ａ、インバータ部４１ｂ、モータ駆動部４１ｃ、ヒータ通電部４１ｄおよび制御部４１ｅを備えている。この制御ユニット４１は、電源部５６、リモコン受信部５８、操作パネル４４および温度センサ６０に図示しないリード線で接続されている。また、制御ユニット４１は、ヒータ脱臭ユニット５４に備えたヒータ５４ｂ、ファンモータ１２ａ、オゾン発生ユニット１６内のＵＶランプ１６ｂに図示しないリード線で接続されている。
【００３４】
電源部５６は、電源コード６２を介してコンセントに接続され、コンセントを介して供給される電力によって脱臭装置の脱臭運転に必要な直流電圧を生成する。電源部５６は、生成された直流電圧をスイッチ部４１ａと制御部４１ｅに印加する。スイッチ部４１ａは、この直流電圧を入り切りし、インバータ部４１ｂは、スイッチ部４１ａを経由した直流電圧をＵＶランプ１６ｂを駆動できる電圧に昇圧する。
【００３５】
リモコン受信部５８は、操作パネル４４に配置され、赤外線によるリモコン信号を受信して制御部４１ｅに送信する。操作パネル４４は、上述のように各種ボタンの押下による運転指示信号を制御部４１ｅに送信する。温度センサ６０は、オゾン発生ユニット１６内または吸込口２６付近に取付けられ、ＵＶランプ１６ｂの周囲温度を検出する。また、温度センサ６０は、その検出信号を制御部４１ｅに送信する。なお、リモコン受信部５８はリモコン信号として操作パネル４４と同様に運転指示信号を受信する。温度センサ６０は、空気通路２０を通過する空気を脱臭する脱臭運転において、制御ユニット４１がＵＶランプ１６ｂの周囲温度に応じてヒータ５４ｂへの通電を行うか否かを判断する際に用いられるものである。このヒータ５４ｂへの通電を行うか否かの判断を省略し、脱臭運転時に常時ヒータ５４ｂへの通電を行うようにしてもよく、この場合には温度センサ６０を備えていなくてもよい。
【００３６】
モータ駆動部４１ｃは、ファンモータ１２ａを駆動し、ヒータ通電部４１ｄは、ヒータ５４ｂへの通電を制御する。制御部４１ｅは、リモコン受信部５８と操作パネル４４と温度センサ６０からの信号を受信する。また、制御部４１ｅは、スイッチ部４１ａとモータ駆動部４１ｃとヒータ通電部４１ｄに制御信号を送信する。制御部４１ｅは、スイッチ部４１ａにオンオフ信号を送信し、インバータ部４１ｂに印加される直流電圧を入り切りすることで、ＵＶランプ１６ｂへの通電を制御する。なお、制御部４１ｅは、温度センサ６０が無い場合と温度センサ６０を有する場合とで異なる制御プログラムを有し、これらの制御プログラムに従って脱臭装置の動作を制御する。
【００３７】
次に、図５乃至図７を用いて、脱臭装置の脱臭運転動作と加熱再生動作とを説明する。なお、脱臭運転動作とは、送風機１２の駆動を行い、脱臭フィルタ５４ａとオゾン発生ユニット１６を用いて、空気通路２０を通過する空気を脱臭する動作である。この脱臭運転動作は２通りの動作があり、ヒータ５４ｂへの通電によってオゾン発生ユニット１６内のＵＶランプ１６ｂを暖めてＵＶランプ１６ｂを点灯させる動作と、ヒータ５４ｂへの通電を行わずにオゾン発生ユニット１６内のＵＶランプ１６ｂを点灯させる動作とがある。また、加熱再生動作とは、送風機１２の駆動は行わず、空気通路２０に空気を通過させずに、ヒータ５４ｂへの通電によって脱臭フィルタ５４ａを加熱して再生する動作である。
【００３８】
まず、図５（Ａ）を用いて、温度センサ６０が無い場合の脱臭運転動作を示す実施例１を説明する。図５（Ａ）に示すように、制御部４１ｅは、リモコン受信部５８や操作パネル４４からの脱臭運転の開始を示す運転指示信号を受信すると、ヒータ５４ｂへの通電をオンにする（１）。なお、制御部４１ｅはヒータ通電部４１ｄにヒータ５４ｂへの通電をオンするための通電制御信号を送信する。上述の運転指示信号には、図示しないリモコン送信器または操作パネル４４のユーザのボタン操作による送風量情報（例えば、強風）が含まれている。
【００３９】
次に、制御部４１ｅはヒータ５４ｂへの通電オンから所定時間ｔ１経過後に、ファンモータ１２ａの駆動をオンにする（２）。所定時間ｔ１は、脱臭装置の外部環境が変化しても、ヒータ５４ｂの近傍が十分暖められる時間（例えば、１０分）である。なお、制御部４１ｅはモータ駆動部４１ｃにファンモータ１２ａの駆動をオンするための駆動制御信号を送信する。上述の駆動制御信号には送風量情報に応じたファンモータ１２ａの回転数情報（例えば、高速）が含まれる。モータ駆動部４１ｃはファンモータ１２ａを回転数情報に応じた速度で駆動する。
【００４０】
次に、制御部４１ｅはファンモータ１２ａの駆動オンから所定時間ｔ２経過後に、ＵＶランプ１６ｂへの通電をオンにする（３）。所定時間ｔ２は、吸込口２６から吸込まれた空気がヒータ５４ｂによって暖められ、暖められた空気でオゾン発生ユニット１６内のＵＶランプ１６ｂの周囲が十分暖められる時間（例えば、１分）である。なお、制御部４１ｅはスイッチ部４１ａにオン信号を送信し、インバータ部４１ｂは印加される直流電圧をＵＶランプ１６ｂの駆動電圧に昇圧し、この駆動電圧をＵＶランプ１６ｂに印加する。
【００４１】
次に、制御部４１ｅは、リモコン受信部５８や操作パネル４４からの脱臭運転の終了を示す運転指示信号を受信すると、ヒータ５４ｂおよびＵＶランプ１６ｂへの通電オフと、ファンモータ１２ａの駆動オフとを同じタイミングで行う。なお、制御部４１ｅはヒータ通電部４１ｄへヒータ５４ｂへの通電をオフにするための通電制御信号を送信する。また、制御部４１ｅはモータ駆動部４１ｄにファンモータ１２ａの駆動をオフするための駆動制御信号を送信する。さらに、制御部４１ｅはスイッチ部４１ｅにオフ信号を送信する。これにより、スイッチ部４１ｅからの直流電圧がインバータ部４１ｂに印加されなくなる。
【００４２】
以上説明してきた実施例１によれば、ヒータ５４ｂへの通電オン、ファンモータ１２ａの駆動オンから所定時間経過後に、ＵＶランプ１６ｂへ通電オンすることにより、ヒータ５４ｂで加熱された空気が送風機１２の回転によりＵＶランプ１６ｂへ送られ、ＵＶランプ１６ｂの周囲温度が上昇する。この結果、ＵＶランプ１６ｂの通電オン時に高い輝度で点灯させることができる。以上のことから、ＵＶランプ１６ｂを備える脱臭装置の外部環境が低温環境下にあるとき、ＵＶランプ１６ｂの近傍にヒータを設けなくても、ＵＶランプ１６ｂの輝度の低下を抑えつつ、オゾン発生ユニット１６内での空気の除菌や脱臭の効果を確保することができる。また、ＵＶランプ１６ｂを備える脱臭装置の外部環境が低温環境下にあるとき、ＵＶランプ１６ｂの近傍にヒータを設けなくても、ＵＶランプ１６ｂを暖めることができるため、ＵＶランプ１６ｂの寿命を長くすることができる。
【００４３】
なお、実施例１では、制御部４１ｅは、図示しない記憶部に予め記憶した所定時間ｔ１と所定時間ｔ２とに基づき、ファンモータ１２ａとＵＶランプ１６ｂとを制御するようにしたが、本発明はこれに限るものではなく、制御部４１は、ヒータ５４ｂおよびＵＶランプ１６ｂへの通電オンと、ファンモータ１２ａの駆動オンとを同じタイミングで制御するようにしてもよい。この場合には、ヒータ５４ｂへの通電オン、ファンモータ１２ａの駆動オンおよびＵＶランプ１６ｂへの通電オンを同じタイミングで行っているので、ＵＶランプ１６ｂの周囲温度はＵＶランプ１６ｂへの通電オン時には低くなっているが、時間の経過とともにＵＶランプ１６ｂの周囲温度が高くなる。この時点でＵＶランプ１６ｂを高い輝度で点灯することができる。
【００４４】
次に、図５（Ｂ）を用いて、温度センサ６０が無い場合の加熱再生動作を説明する。なお、制御部４１ｅは電源部５６からの直流電圧が印加された状態になっている。図５（Ｂ）に示すように、制御部４１ｅは予め設定される脱臭運転の累積運転時間（例えば、２４時間）ごとに、ヒータ５４ｂへの通電をオンにする（１）。なお、制御部４１ｅはヒータ通電部４１ｄへヒータ５４ｂへの通電をオンにするための通電制御信号を累積時間ごとに自動的に送信する。
【００４５】
次に、制御部４１ｅはヒータ５４ｂへの通電オンから予め設定されている設定時間（例えば、１時間）が経過したのち、ヒータ５４ｂへの通電をオフにする。ヒータ５４ｂへの通電時は、ファンモータ１２ａの駆動とＵＶランプ１６ｂの通電はオフのままである。したがって、加熱再生動作ではＵＶランプ１６ｂが動作しない。なお、制御部４１ｅはヒータ通電部４１ｄへヒータ５４ｂへの通電をオフにするための通電制御信号を自動的に送信する。この加熱再生動作により、脱臭フィルタ５４ａをヒータ５４ｂで加熱して脱臭性能を再生する。
【００４６】
次に、図６（Ａ）および図６（Ｂ）を用いて、温度センサ６０を有する場合の脱臭運転動作を示す実施例２を説明する。なお、実施例１と重複する内容は説明を省略する。図６（Ａ）に示すように、制御部４１ｅは、リモコン受信部５８や操作パネル４４からの脱臭運転の開始を示す運転指示信号を受信すると、この時点の温度センサ６０の検出値が所定値（例えば、１０℃）以下である場合、ヒータ５４ｂへの通電をオンにする（１）。
【００４７】
次に、制御部４１ｅはヒータ５４ｂへの通電オンから所定時間ｔ１経過後に、ファンモータ１２ａの駆動をオンにする（２）。所定時間ｔ１は、冬場の平均的な外気温に対してヒータ５４ｂの近傍が十分暖められる時間（例えば、１０分）である。
【００４８】
次に、制御部４１ｅは実施例１と同様に、ファンモータ１２ａの駆動オンから所定時間ｔ２経過後に、ＵＶランプ１６ｂへの通電をオンにする（３）。次に、制御部４１ｅは実施例１と同様に、リモコン受信部５８や操作パネル４４からの脱臭運転の終了を示す運転指示信号を受信すると、ヒータ５４ｂおよびＵＶランプ１６ｂへの通電オフと、ファンモータ１２ａの駆動オフとを同じタイミングで行う。
【００４９】
また、図６（Ｂ）に示すように、制御部４１ｅは、リモコン受信部５８や操作パネル４４からの脱臭運転の開始を示す運転指示信号を受信すると、この時点の温度センサ６０の検出値が所定値（例えば、１０℃）よりも大きい場合、ヒータ５４ｂへの通電はオフのままにする（１）。制御部４１ｅは、ファンモータ１２ａの駆動オン（２）と、ＵＶランプ１６ｂへの通電オン（３）とを同じタイミングで行う。次に、制御部４１ｅは、リモコン受信部５８や操作パネル４４からの脱臭運転の終了を示す運転指示信号を受信すると、ファンモータ１２ａの駆動オフと、ＵＶランプ１６ｂへの通電オフとを同じタイミングで行う。
【００５０】
次に、図６（Ｃ）を用いて、温度センサ６０を有する場合の加熱再生動作を説明する。図６（Ｃ）に示すように、制御部４１ｅは、実施例１と同様に、予め設定される脱臭運転の累積運転時間（例えば、２４時間）ごとに、ヒータ５４ｂへの通電をオンにする（１）。次に、制御部４１ｅは、実施例１と同様に、ヒータ５４ｂへの通電オンから予め設定されている設定時間（例えば、１時間）が経過したのち、ヒータ５４ｂへの通電をオフにする。ヒータ５４ｂへの通電時は、ファンモータ１２ａの駆動とＵＶランプ１６ｂの通電はオフのままである。したがって、加熱再生動作ではＵＶランプ１６ｂが動作しない。この加熱再生動作により、脱臭フィルタ５４ａをヒータ５４ｂで加熱して脱臭性能を再生する。
【００５１】
以上説明してきた実施例２によれば、ヒータ５４ｂへの通電オン、ファンモータ１２ａの駆動オンから所定時間経過後に、ＵＶランプ１６ｂへ通電オンすることにより、ヒータ５４ｂで加熱された空気が送風機１２の回転によりＵＶランプ１６ｂへ送られ、ＵＶランプ１６ｂの周囲温度が上昇する。この結果、ＵＶランプ１６ｂの通電オン時に高い輝度で点灯させることができる。以上のことから、実施例１と同様な効果を得ることができる。また、ＵＶランプ１６ｂを備える脱臭装置を低温環境下で使用する時のみ、加熱された空気でＵＶランプ１６ｂを暖めるため、脱臭運転時に常にヒータ５４ｂへの通電をオンにする実施例１と比べて、脱臭運転時のヒータ５４ｂへの通電に伴う消費電力を低減することができる。
【００５２】
次に、図７（Ａ）および図７（Ｂ）を用いて、温度センサ６０を有する場合の脱臭運転動作を示す実施例３を説明する。なお、実施例１および実施例２と重複する内容は説明を省略する。図７（Ａ）に示すように、制御部４１ｅは、実施例２と同様に、リモコン受信部５８や操作パネル４４からの脱臭運転の開始を示す運転指示信号を受信すると、この時点の温度センサ６０の検出値が所定値（例えば、１０℃）以下である場合、ヒータ５４ｂへの通電をオンにする（１）。
【００５３】
次に、制御部４１ｅはヒータ５４ｂへの通電オンと同じタイミングでファンモータ１２ａの駆動を開始させて、所定時間ｔ１（例えば、１０分）をかけて、ファンモータ１２ａを回転数情報に応じた速度（例えば、高速）になるように制御する（２）。所定時間ｔ１は、実施例２と同様に、ヒータ５４ｂの近傍が十分暖められる時間である。
【００５４】
次に、制御部４１ｅはファンモータ１２ａが回転数情報に応じた速度になってから所定時間ｔ２（例えば、１分）が経過したのち、ＵＶランプ１６ｂへの通電をオンにする（３）。次に、制御部４１ｅは実施例２と同様に、リモコン受信部５８や操作パネル４４からの脱臭運転の終了を示す運転指示信号を受信すると、ヒータ５４ｂおよびＵＶランプ１６ｂへの通電オフと、ファンモータ１２ａの駆動オフとを同じタイミングで行う。
【００５５】
また、図７（Ｂ）に示すように、制御部４１ｅは、実施例２と同様に、リモコン受信部５８や操作パネル４４からの脱臭運転の開始を示す運転指示信号を受信すると、この時点の温度センサ６０の検出値が所定値（例えば、１０℃）よりも大きい場合、ヒータ５４ｂへの通電はオフのままにする（１）。制御部４１ｅは、実施例２と同様に、ファンモータ１２ａの駆動オン（２）と、ＵＶランプ１６ｂへの通電オン（３）とを同じタイミングで行う。次に、制御部４１ｅは、実施例２と同様に、リモコン受信部５８や操作パネル４４からの脱臭運転の終了を示す運転指示信号を受信すると、ファンモータ１２ａの駆動オフと、ＵＶランプ１６ｂへの通電オフとを同じタイミングで行う。
【００５６】
次に、図７（Ｃ）を用いて、温度センサ６０を有する場合の加熱再生動作を説明する。図７（Ｃ）に示すように、制御部４１ｅは、実施例２と同様に、予め設定される脱臭運転の累積運転時間（例えば、２４時間）ごとに、ヒータ５４ｂへの通電をオンにする（１）。次に、実施例２と同様に、制御部４１ｅはヒータ５４ｂへの通電オンから予め設定されている設定時間（例えば、１時間）が経過したのち、ヒータ５４ｂへの通電をオフにする。ヒータ５４ｂへの通電時は、ファンモータ１２ａの駆動とＵＶランプ１６ｂの通電はオフのままである。したがって、加熱再生動作ではＵＶランプ１６ｂが動作しない。この加熱再生動作により、脱臭フィルタ５４ａをヒータ５４ｂで加熱して脱臭性能を再生する。
【００５７】
以上説明してきた実施例３によれば、実施例２と同様な効果を得ることができ、さらに、次のような効果も得ることができる。脱臭装置の脱臭運転の開始時に、ＵＶランプ１６ｂの周囲温度が低く、ＵＶランプ１６ｂの周辺を通過する暖められた空気の流れが速いと、ＵＶランプ１６ｂに対する空気の熱伝導効率が悪くなるおそれがある。実施例３では、ヒータ５４ｂの通電時にＵＶランプ１６ｂの周囲温度が低い状態から時間経過とともに高い状態へと移行していく過程に合わせて、ファンモータ１２ａの回転数を段々と上昇させるようにした。この結果、ＵＶランプ１６ｂに対する空気の熱伝導効率を良くしてＵＶランプ１６ｂを暖められ易くすることができる。
【００５８】
次に、図８を用いて、実施例２におけるＵＶランプ１６ｂを暖めてＵＶランプ１６ｂを点灯する脱臭運転動作において、温度センサ６０の検出値に応じて、ヒータ５４ｂへの通電オンからファンモータ１２ｂの駆動オンまでの所定時間ｔ１を調整するようにした変形例１について説明する。
【００５９】
図８に示すように、制御部４１ｅでは、温度センサ６０の検出値が１０℃以下になった場合に、その検出値を３つの温度範囲に区分する。制御部４１ｅは、区分された温度範囲に応じて所定時間ｔ１を異なる時間に設定する。したがって、制御部４１ｅは、所定時間ｔ１を、温度範囲が１０℃以下０℃超のときには５分、０℃以下−１０℃超のときには８分、−１０℃以下のときには１０分となるように設定する。例えば、制御部４１ｅは温度センサ６０の検出値が５℃であった場合、所定時間ｔ１を５分に設定する。
【００６０】
変形例１によれば、ＵＶランプ１６ｂの周囲温度が低くなるほど、ヒータ５４ｂの通電オンからファンモータ１２ａの駆動オンまでの時間を長く設定する。これにより、脱臭装置の外部環境のいかんによらず、ヒータ５４ｂ自体の温度を安定させた後にヒータ５４ｂで加熱された空気をＵＶランプ１６ｂへ送ることができる。
【００６１】
次に、図９を用いて、実施例２におけるＵＶランプ１６ｂを暖めてＵＶランプ１６ｂを点灯する脱臭運転動作において、温度センサ６０の検出値に応じて、ファンモータ１２ｂの回転数（ファン１２ｂの送風量）を調整するようにした変形例２について説明する。
【００６２】
図９に示すように、制御部４１ｅでは、温度センサ６０の検出値が１０℃以下になった場合に、その検出値を３つの温度範囲に区分する。制御部４１ｅは、区分された温度範囲に応じて、ファンモータ１２ｂの回転数を異なる回転数となるように設定する。したがって、制御部４１ｅは、ファンモータ１２ｂの回転数情報を、温度範囲が１０℃以下０℃超のときには高速、０℃以下−１０℃超のときには中速、−１０℃以下のときには低速となるように設定する。例えば、制御部４１ｅは温度センサ６０の検出値が５℃であった場合、ファンモータ１２ａの回転数が高速となる速度に制御し、ファン１２ｂの送風量が強風になるようにする。なお、ファンモータ１２ａの回転数情報に対するファン１２ｂの送風量情報は、温度範囲が１０℃以下０℃超のときには強風、０℃以下−１０℃超のときには弱風、−１０℃以下のときには微風である。
【００６３】
変形例２では、実施例２の効果に加えて、次のような効果が得られる。脱臭装置の脱臭運転の開始時に、ＵＶランプ１６ｂの周囲温度が低く、ＵＶランプ１６ｂの周辺を通過する暖められた空気の流れが速いと、ＵＶランプ１６ｂに対する空気の熱伝導効率が悪くなる。変形例２によれば、ヒータ５４ｂの通電時にＵＶランプ１６ｂの周囲温度が低くなるほど、ファンモータ１２ａの回転数が低速になるように制御される。この結果、ＵＶランプ１６ｂに対する空気の熱伝導効率を良くしてＵＶランプ１６ｂを暖められ易くすることができる。
【００６４】
なお、実施例３におけるＵＶランプ１６ｂを暖めてＵＶランプ１６ｂを点灯する脱臭運転動作の変形例として、図８に示すように、変形例１と同様に、温度センサ６０の検出値に応じて、所定時間ｔ１を調整するようにしてもよい。この場合、変形例１と同様な効果を得ることができる。
【００６５】
次に、図１０を用いて、実施例１から実施例３に共通するＵＶランプ１６ｂを暖めてＵＶランプ１６ｂを点灯する脱臭運転動作のその他の変形例３について説明する。実施例１から実施例３では、制御部４１ｅは、ヒータ通電部４１ｄに対し、ヒータ５４ｂへの通電電流値として一定値を示す通電制御信号を出力するようにしたが、変形例３では、図１０に示すように、制御部４１ｅでは、ヒータ５４ｂの温度として、ＵＶランプ１６ｂを暖めてＵＶランプ１６ｂを点灯させるときの温度が、脱臭フィルタ５４ａを加熱して再生させるときの温度よりも小さくなるように、ヒータ５４ｂの通電電流値を変更する。
【００６６】
図１０に示すように、脱臭運転動作でＵＶランプ１６ｂを暖めてＵＶランプ１６ｂを点灯させるときには、制御部４１ｅはヒータ５４ｂの温度が例えば３０℃となるように、ヒータ５４ｂの通電電流値を小さく設定する。制御部４１ｅは、ヒータ通電部４１ｄへ上述の設定に基づいた通電制御信号を出力し、ヒータ通電部４１ｄはヒータ５４ｂへの通電電流値を小さくする。
【００６７】
一方、ヒータ５４ｂで脱臭フィルタ５４ａを加熱して再生させるときには、制御部４１ｅはヒータの温度が例えば８０℃となるように、ヒータ５４ｂの通電電流値を大きく設定する。制御部４１ｅは、ヒータ通電部４１ｄへ上述の設定に基づいた通電制御信号を出力し、ヒータ通電部４１ｄはヒータ５４ｂへの通電電流値を大きくする。
【００６８】
変形例３によれば、ＵＶランプ１６ｂを暖めてＵＶランプ１６ｂを点灯させる脱臭運転動作では、ヒータ５４ｂの温度が脱臭フィルタ５４ａを加熱して再生させる温度にならないため、ヒータ５４ｂへ通電しても、脱臭フィルタ５４ａを加熱して再生させるときの臭いが発生しない。この結果、ヒータ５４ｂの通電でＵＶランプ１６ｂを暖めてＵＶランプ１６ｂを点灯させる脱臭運転動作において、吹出口２８から臭いが放出されないようにすることができる。
【００６９】
なお、本実施形態ではオゾン発生ユニット１６とヒータ脱臭ユニット５４とを備える脱臭装置を説明したが、本発明はこれに限るものではなく、オゾン発生ユニットとヒータ脱臭ユニットとを備える空気清浄機や、オゾン発生ユニットを備え、暖房運転時の吹出口から吹出される暖かい空気をオゾン発生ユニットに取り込むようにした空気調和機などに応用することができる。
【００７０】
また、本実施形態では、ヒータ５４ｂへの通電オンから所定時間ｔ１経過後にファンモータ１２ａを駆動し、さらに所定時間ｔ２経過後にＵＶランプ１６ｂへの通電をオンしているが、本発明はこれに限るものではなく、温度センサ６０がオゾン発生ユニット１６内に設けられている場合は温度センサ６０の検出温度に基づいてＵＶランプ１６ｂの通電オン／オフの制御を行なってもよい。例えば、ヒータ５４ｂへの通電オンとファンモータ１２ａの駆動オンとをそれぞれ行った後、温度センサ６０の検出温度が１０℃以上となった時点でＵＶランプ１６ｂの通電をオンし、１０℃未満の場合はＵＶランプ１６ｂの通電をオフするというような制御が可能である。このような制御によれば、ＵＶランプ１６ｂの周囲温度の実測値に基づいてＵＶランプ１６ｂの通電オン／オフの制御を行うので、より確実にＵＶランプ１６ｂの寿命と輝度を改善することができる。
【符号の説明】
【００７１】
１０  筐体
１２  送風機
１２ａ  ファンモータ
１２ｂ  ファン
１４  気化フィルタ
１６  オゾン発生ユニット
１６ａ  ケース
１６ｂ  ＵＶランプ
１６ｃ  オゾン分解触媒
１６０  空気通路
１６１  流入口
１６２  流出口
１８  オゾンダクト
１８ａ  オゾン吹付口
２０  空気通路
２６  吸込口
２８  吹出口
３０  ルーバ
３２  前面パネル
３４  背面パネル
４０  メイン基板
４１  制御ユニット
４１ａ  スイッチ部
４１ｂ  インバータ部
４１ｃ  モータ駆動部
４１ｄ  ヒータ通電部
４１ｅ  制御部
４４  操作パネル
４６  マイナスイオン発生器
５０  プレフィルタ
５２  集塵フィルタ
５４  ヒータ脱臭ユニット
５４ａ  脱臭フィルタ
５４ｂ  ヒータ
５６  電源部
５８  リモコン受信部
６０  温度センサ
６２  電源コード
【図１】
2012075554.tif 000003
【図２】
2012075554.tif 000004
【図３】
2012075554.tif 000005
【図４】
2012075554.tif 000006
【図５】
2012075554.tif 000007
【図６】
2012075554.tif 000008
【図７】
2012075554.tif 000009
【図８】
2012075554.tif 000010
【図９】
2012075554.tif 000011
【図１０】
2012075554.tif 000012